【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
ネットワークエンティティによるワイヤレス通信のための方法であって、
1つまたは複数のユーザ機器(UE)が初期アクセスに使用するために第1の周波数帯域内で同期信号(SS)ブロックの少なくとも1つの第1のセットを送信するステップと、
測定目的で第2の周波数帯域内でSSブロックの少なくとも1つの第2のセットを送信するステップと
を含み、
前記第1のセットのSSブロックの物理ブロードキャストチャネル(PBCH)ペイロードが、前記第2のセットのSSブロックのPBCHペイロードとは異なり、
前記第2のセットの前記SSブロックの前記PBCHペイロードが、
前記第2の周波数帯域の測定において前記UEを支援することと、
SSブロックの前記第1のセットの位置特定および受信において前記UEを支援することと
を行うように設計される、方法。
【請求項２】
SSブロックの前記第1および第2のセットが、異なる周波数ラスタ上で送信される、請求項1に記載の方法。
【請求項３】
SSブロックの前記第1および第2のセットが、同じ周波数ラスタ上で、しかし異なる時間に送信される、請求項1に記載の方法。
【請求項４】
前記第2の周波数帯域が、2次コンポーネントキャリア(SCC)に対応し、
SSブロックの前記第2のセットが、1次コンポーネントキャリア(PCC)内のSSブロックの前記第1のセットのロケーションを示す、請求項1に記載の方法。
【請求項５】
前記PBCHペイロードの1つまたは複数のビットが、SSブロックが前記第1のセットに属するかまたは前記第2のセットに属するかを示す、請求項1に記載の方法。
【請求項６】
SSブロックの前記第2のセットの前記PBCHペイロードが、タイミング情報を搬送する、請求項1に記載の方法。
【請求項７】
前記タイミング情報が、システムフレーム数(SFN)またはバーストもしくはバーストセット内のSSブロックの位置を示すSSブロックインデックスのうちの少なくとも1つを含む、請求項6に記載の方法。
【請求項８】
前記第1のセットのSSブロックが、利用可能な時間のサブセットのみにおいて送信され、
前記タイミング情報が、前記UEが前記第1のセットのSSブロックを探索すべきときを示す、請求項6に記載の方法。
【請求項９】
SSブロックの前記第2のセットの前記PBCHペイロードが、SSブロックの前記第1のセットに関する疑似コロケーション(QCL)情報を示す、請求項1に記載の方法。
【請求項１０】
前記QCL情報が、SSブロックの前記第1のセットを送信するときに使用されるビーム掃引の周期、SSブロックの前記第1のセットを送信するために使用されるビームパターン、またはビームパターン内のオフセットのうちの少なくとも1つを示す、請求項9に記載の方法。
【請求項１１】
ユーザ機器(UE)によるワイヤレス通信のための方法であって、
第2の周波数帯域内で受信された同期信号(SS)ブロックの少なくとも1つの第2のセットに基づいて測定を実行するステップであって、第1のセットのSSブロックの物理ブロードキャストチャネル(PBCH)ペイロードが、前記第2のセットのSSブロックのPBCHペイロードとは異なる、ステップと、
第1の周波数帯域内で受信されたSSブロックの少なくとも1つの前記第1のセットに基づいてネットワークへの初期アクセスを実行するステップと、
前記第2のセットの前記SSブロックの前記PBCHペイロードを使用して、SSブロックの前記第1のセットの位置特定および受信を行うステップと
を含む、方法。
【請求項１２】
SSブロックの前記第1および第2のセットが、異なる周波数ラスタ上で検出される、請求項11に記載の方法。
【請求項１３】
SSブロックの前記第1および第2のセットが、同じ周波数ラスタ上で、しかし異なる時間に検出される、請求項11に記載の方法。
【請求項１４】
前記第2の周波数帯域が、2次コンポーネントキャリア(SCC)に対応し、
SSブロックの前記第2のセットが、1次コンポーネントキャリア(PCC)内のSSブロックの前記第1のセットのロケーションを示す、請求項11に記載の方法。
【請求項１５】
前記UEが、SSブロックが前記第1のセットに属するかまたは前記第2のセットに属するかを、前記PBCHペイロードの1つまたは複数のビットに基づいて決定する、請求項11に記載の方法。
【請求項１６】
SSブロックの前記第2のセットの前記PBCHペイロードが、タイミング情報を搬送する、請求項11に記載の方法。
【請求項１７】
前記タイミング情報が、システムフレーム数(SFN)またはバーストもしくはバーストセット内のSSブロックの位置を示すSSブロックインデックスのうちの少なくとも1つを含む、請求項16に記載の方法。
【請求項１８】
前記第1のセットのSSブロックが、利用可能な時間のサブセットのみにおいて送信され、
前記UEが、前記第1のセットのSSブロックを探索するときを、前記タイミング情報に基づいて決定する、請求項16に記載の方法。
【請求項１９】
SSブロックの前記第2のセットの前記PBCHペイロードが、SSブロックの前記第1のセットに関する疑似コロケーション(QCL)情報を示し、
前記UEが、前記QCL情報に基づいてSSブロックの前記第1のセットを処理する、請求項11に記載の方法。
【請求項２０】
前記QCL情報が、SSブロックの前記第1のセットを送信するときに使用されるビーム掃引の周期、SSブロックの前記第1のセットを送信するために使用されるビームパターン、またはビームパターン内のオフセットのうちの少なくとも1つを示す、請求項19に記載の方法。
【請求項２１】
ネットワークエンティティによるワイヤレス通信のための装置であって、
1つまたは複数のユーザ機器(UE)が初期アクセスに使用するために第1の周波数帯域内で同期信号(SS)ブロックの少なくとも1つの第1のセットを送信するための手段と、
測定目的で第2の周波数帯域内でSSブロックの少なくとも1つの第2のセットを送信するための手段と
を含み、
前記第1のセットのSSブロックの物理ブロードキャストチャネル(PBCH)ペイロードが、前記第2のセットのSSブロックのPBCHペイロードとは異なり、
前記第2のセットの前記SSブロックの前記PBCHペイロードが、
前記第2の周波数帯域の測定において前記UEを支援することと、
SSブロックの前記第1のセットの位置特定および受信において前記UEを支援することと
を行うように設計される、装置。
【請求項２２】
ユーザ機器(UE)によるワイヤレス通信のための装置であって、
第2の周波数帯域内で受信された同期信号(SS)ブロックの少なくとも1つの第2のセットに基づいて測定を実行するための手段であって、第1のセットのSSブロックの物理ブロードキャストチャネル(PBCH)ペイロードが、前記第2のセットのSSブロックのPBCHペイロードとは異なる、手段と、
第1の周波数帯域内で受信されたSSブロックの少なくとも1つの前記第1のセットに基づいてネットワークへの初期アクセスを実行するための手段と、
前記第2のセットの前記SSブロックの前記PBCHペイロードを使用して、SSブロックの前記第1のセットの位置特定および受信を行うための手段と
を含む、方法。